【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
略中央部に配置された円柱状の回転軸と、
前記回転軸を回転自在に支承する該回転軸の両端部に設けられ前記回転軸に向けて静圧を供給するための一組の静圧軸受機構と、
前記回転軸を回転駆動させるモータ駆動部と、
前記静圧軸受機構の軸方向内側部に、該静圧軸受機構と各々近接して設けられた２つのポンプ機構と、
前記静圧軸受機構、前記ポンプ機構、及び前記モータ駆動部の外周部を覆い、その内部に前記回転軸と共に回転する回転部材を収容可能な収容空間を有するケース体と、
前記静圧軸受機構と前記ポンプ機構との間に形成された、前記収容空間から前記ケース体の外部へと連通する大気連通孔及びこの大気連通孔の前記収容空間側の開口端に形成された円環状の環状凹部を含み、前記ポンプ機構による前記収容空間の減圧を前記静圧軸受機構が供給する圧力にかかわらず維持するための圧力緩和部と、
を備えることを特徴とする真空モータ。
【請求項２】
略中央部に配置された円柱状の回転軸と、
前記回転軸を回転自在に支承する該回転軸の両端部に設けられ前記回転軸に向けて静圧を供給するための一組の静圧軸受機構と、
前記回転軸を回転駆動させるモータ駆動部と、
前記静圧軸受機構の軸方向内側部に、該静圧軸受機構と各々近接して設けられた２つのポンプ機構と、
前記静圧軸受機構と前記ポンプ機構との間に各々設けられた２つの逆流防止機構と、
前記静圧軸受機構、前記逆流防止機構、前記ポンプ機構、及び前記モータ駆動部の外周部を覆い、その内部に前記回転軸と一体的に回転する回転部材を収容可能な収容空間を有するケース体と、
前記静圧軸受機構と前記逆流防止機構との間に形成された、前記収容空間から前記ケース体の外部へと連通する静圧用大気連通孔及びこの静圧用大気連通孔の前記収容空間側の開口端に形成された円環状の静圧用環状凹部とからなる静圧用排出孔と、
前記逆流防止機構と前記ポンプ機構との間に形成された、前記収容空間から前記ケース体の外部へと連通する減圧用大気連通孔及びこの減圧用大気連通孔の前記収容空間側の開口端に形成された円環状の減圧用環状凹部とからなる減圧用排出孔と、
を備えることを特徴とする真空モータ。
【請求項３】
前記減圧用排出孔が、前記収容空間を減圧状態に保つことのできる圧力緩和部であることを特徴とする請求項２に記載の真空モータ。
【請求項４】
回転軸と一体的に回転する回転多面鏡を備える光偏向器において、
略中央部に配置された円柱状の回転軸と、
前記回転軸を回転自在に支承する該回転軸の両端部に設けられ前記回転軸に向けて静圧を供給するための一組の静圧軸受機構と、
前記回転軸を回転駆動させるモータ駆動部と、
前記静圧軸受機構の軸方向内側部に、該静圧軸受機構と各々近接して設けられた２つのポンプ機構と、
前記静圧軸受機構、前記ポンプ機構、及び前記モータ駆動部の外周部を覆い、その内部に前記回転軸と共に回転する回転部材を収容可能な収容空間を有するケース体と、
前記静圧軸受機構と前記ポンプ機構との間に形成された、前記収容空間から前記ケース体の外部へと連通する大気連通孔およびこの大気連通孔の前記収容空間側の開口端に形成された円環状の環状凹部を含み、前記ポンプ機構による前記収容空間の減圧を前記静圧軸受機構が供給する圧力にかかわらず維持するための圧力緩和部と、
を備えたことを特徴とする光偏向器。
【請求項５】
回転軸と一体的に回転する回転多面鏡を備える光偏向器において、
略中央部に配置された円柱状の回転軸と、
前記回転軸を回転自在に支承する該回転軸の両端部に設けられ前記回転軸に向けて静圧を供給するための一組の静圧軸受機構と、
前記回転軸を回転駆動させるモータ駆動部と、
前記静圧軸受機構の軸方向内側部に、該静圧軸受機構と各々近接して設けられた２つのポンプ機構と、
前記静圧軸受機構と前記ポンプ機構との間に各々設けられた２つの逆流防止機構と、
前記静圧軸受機構、前記逆流防止機構、前記ポンプ機構、及び前記モータ駆動部の外周部を覆い、その内部に前記回転軸と一体的に回転する回転部材を収容可能な収容空間を有するケース体と、
前記静圧軸受機構と前記逆流防止機構との間に形成された、前記収容空間から前記ケース体の外部へと連通する静圧用大気連通孔およびこの静圧用大気連通孔の前記収容空間側の開口端に形成された円環状の静圧用環状凹部とからなる静圧用排出孔と、
前記逆流防止機構と前記ポンプ機構との間に形成された、前記収容空間から前記ケース体の外部へと連通する減圧用大気連通孔およびこの減圧用大気連通孔の前記収容空間側の開口端に形成された円環状の減圧用環状凹部とからなる減圧用排出孔と、
を備えたことを特徴とする光偏向器。
【手続補正２】
【補正対象書類名】明細書
【補正対象項目名】００１３
【補正方法】変更
【補正の内容】
【００１３】
上記目的を達成するために、請求項１に記載の真空モータは、略中央部に配置された円柱状の回転軸と、前記回転軸を回転自在に支承する該回転軸の両端部に設けられ前記回転軸に向けて静圧を供給するための一組の静圧軸受機構と、前記回転軸を回転駆動させるモータ駆動部と、前記静圧軸受機構の軸方向内側部に、該静圧軸受機構と各々近接して設けられた２つのポンプ機構と、前記静圧軸受機構、前記ポンプ機構、及び前記モータ駆動部の外周部を覆い、その内部に前記回転軸と共に回転する回転部材を収容可能な収容空間を有するケース体と、前記静圧軸受機構と前記ポンプ機構との間に形成された、前記収容空間から前記ケース体の外部へと連通する大気連通孔及びこの大気連通孔の前記収容空間側の開口端に形成された円環状の環状凹部を含み、前記ポンプ機構による前記収容空間の減圧を前記静圧軸受機構が供給する圧力にかかわらず維持するための圧力緩和部と、を備えることを特徴とするものである。
【手続補正３】
【補正対象書類名】明細書
【補正対象項目名】００１４
【補正方法】変更
【補正の内容】
【００１４】
請求項２に記載の真空モータは、略中央部に配置された円柱状の回転軸と、前記回転軸を回転自在に支承する該回転軸の両端部に設けられ前記回転軸に向けて静圧を供給するための一組の静圧軸受機構と、前記回転軸を回転駆動させるモータ駆動部と、前記静圧軸受機構の軸方向内側部に、該静圧軸受機構と各々近接して設けられた２つのポンプ機構と、前記静圧軸受機構と前記ポンプ機構との間に各々設けられた２つの逆流防止機構と、前記静圧軸受機構、前記逆流防止機構、前記ポンプ機構、及び前記モータ駆動部の外周部を覆い、その内部に前記回転軸と一体的に回転する回転部材を収容可能な収容空間を有するケース体と、前記静圧軸受機構と前記逆流防止機構との間に形成された、前記収容空間から前記ケース体の外部へと連通する静圧用大気連通孔及びこの静圧用大気連通孔の前記収容空間側の開口端に形成された円環状の静圧用環状凹部とからなる静圧用排出孔と、前記逆流防止機構と前記ポンプ機構との間に形成された、前記収容空間から前記ケース体の外部へと連通する減圧用大気連通孔及びこの減圧用大気連通孔の前記収容空間側の開口端に形成された円環状の減圧用環状凹部とからなる減圧用排出孔と、を備えることを特徴とするものである。
【手続補正４】
【補正対象書類名】明細書
【補正対象項目名】００１６
【補正方法】変更
【補正の内容】
【００１６】
請求項４に記載の光偏向器は、回転軸と一体的に回転する回転多面鏡を備える光偏向器において、略中央部に配置された円柱状の回転軸と、前記回転軸を回転自在に支承する該回転軸の両端部に設けられ前記回転軸に向けて静圧を供給するための一組の静圧軸受機構と、前記回転軸を回転駆動させるモータ駆動部と、前記静圧軸受機構の軸方向内側部に、該静圧軸受機構と各々近接して設けられた２つのポンプ機構と、前記静圧軸受機構、前記ポンプ機構、及び前記モータ駆動部の外周部を覆い、その内部に前記回転軸と共に回転する回転部材を収容可能な収容空間を有するケース体と、前記静圧軸受機構と前記ポンプ機構との間に形成された、前記収容空間から前記ケース体の外部へと連通する大気連通孔およびこの大気連通孔の前記収容空間側の開口端に形成された円環状の環状凹部を含み、前記ポンプ機構による前記収容空間の減圧を前記静圧軸受機構が供給する圧力にかかわらず維持するための圧力緩和部と、を備えたことを特徴とするものである。
【手続補正５】
【補正対象書類名】明細書
【補正対象項目名】００１７
【補正方法】変更
【補正の内容】
【００１７】
請求項５に記載の光偏向器は、回転軸と一体的に回転する回転多面鏡を備える光偏向器において、略中央部に配置された円柱状の回転軸と、前記回転軸を回転自在に支承する該回転軸の両端部に設けられ前記回転軸に向けて静圧を供給するための一組の静圧軸受機構と、前記回転軸を回転駆動させるモータ駆動部と、前記静圧軸受機構の軸方向内側部に、該静圧軸受機構と各々近接して設けられた２つのポンプ機構と、前記静圧軸受機構と前記ポンプ機構との間に各々設けられた２つの逆流防止機構と、前記静圧軸受機構、前記逆流防止機構、前記ポンプ機構、及び前記モータ駆動部の外周部を覆い、その内部に前記回転軸と一体的に回転する回転部材を収容可能な収容空間を有するケース体と、前記静圧軸受機構と前記逆流防止機構との間に形成された、前記収容空間から前記ケース体の外部へと連通する静圧用大気連通孔およびこの静圧用大気連通孔の前記収容空間側の開口端に形成された円環状の静圧用環状凹部とからなる静圧用排出孔と、前記逆流防止機構と前記ポンプ機構との間に形成された、前記収容空間から前記ケース体の外部へと連通する減圧用大気連通孔およびこの減圧用大気連通孔の前記収容空間側の開口端に形成された円環状の減圧用環状凹部とからなる減圧用排出孔と、を備えたことを特徴とするものである。